【手続補正書】
【提出日】平成17年12月8日(2005.12.8)
【手続補正１】
【補正対象書類名】明細書
【補正対象項目名】発明の名称
【補正方法】変更
【補正の内容】
【発明の名称】情報処理装置及び印刷処理方法
【手続補正２】
【補正対象書類名】明細書
【補正対象項目名】特許請求の範囲
【補正方法】変更
【補正の内容】
【特許請求の範囲】
【請求項１】  第１記憶手段を用いてスプール印刷処理可能か否かを判別する第１判別手段と、
第２記憶手段を用いてスプール印刷処理可能か否かを判別する第２判別手段と、
前記第１判別手段により前記第１記憶手段を用いてスプール印刷処理可能であると判別された場合、または前記第２判別手段により前記第２記憶手段を用いてスプール印刷処理可能であると判別された場合、スプール用メモリを確保してスプール印刷処理を行い、前記第１判別手段により前記第１記憶手段を用いてスプール印刷処理可能でないと判別され前記第２判別手段により前記第２記憶手段を用いてスプール印刷処理可能でないと判別された場合、ダイレクト印刷処理を行う処理手段と
を有することを特徴とする情報処理装置。
【請求項２】  前記第１判別手段により前記第１記憶手段を用いてスプール印刷処理可能でないと判別された場合、前記第２記憶手段の装着を促す画面を表示する表示手段を有することを特徴とする請求項１記載の情報処理装置。
【請求項３】  前記第２判別手段により前記第２記憶手段を用いてスプール印刷処理可能でないと判別された場合、ダイレクト印刷処理にて印刷するか否かを確認する画面を表示する表示手段を有することを特徴とする請求項１又は２に記載の情報処理装置。
【請求項４】  前記処理手段は、スプール印刷時に、前記第１記憶手段の印刷データの印刷処理が終了した場合、前記第１記憶手段の印刷データを削除し、前記第２記憶手段の印刷データを前記第１記憶手段にコピーすることを特徴とする請求項１乃至３のいずれかに記載の情報処理装置。
【請求項５】  前記第１記憶手段は、ＲＡＭを含み、前記第２記憶手段は、メモリカードを含むことを特徴とする請求項１乃至４のいずれかに記載の情報処理装置。
【請求項６】  第１記憶手段にスプール用メモリを確保できるか否かを判別する第１判別ステップと、
第２記憶手段にスプール用メモリを確保できるか否かを判別する第２判別ステップと、
前記第１判別ステップによりスプール用メモリを確保できると判別された場合、または前記第２判別ステップにより前記第２記憶手段にスプール用メモリを確保できると判別された場合、スプール用メモリを確保してスプール印刷処理を行い、前記第１判別ステップによりスプール用メモリを確保できないと判別され前記第２判別ステップにより前記第２記憶手段にスプール用メモリを確保できないと判別された場合、ダイレクト印刷処理を行う処理ステップと
を有することを特徴とする印刷処理方法。
【請求項７】  前記第１判別ステップにより前記第１記憶手段にスプール用メモリを確保できないと判別された場合、前記第２記憶手段の装着を促す画面を表示する表示ステップを有することを特徴とする請求項６に記載の印刷処理方法。
【請求項８】  前記第２判別ステップにより前記第２記憶手段にスプール用メモリを確保できないと判別された場合、ダイレクト印刷処理にて印刷するか否かを確認する画面を表示する表示ステップを有することを特徴とする請求項６又は７に記載の印刷処理方法。
【請求項９】  前記処理ステップは、スプール印刷時に、前記第１記憶手段の印刷データの印刷処理が終了した場合、前記第１記憶手段の印刷データを削除し、前記第２記憶手段の印刷データを前記第１記憶手段にコピーすることを特徴とする請求項６乃至８のいずれかに記載の印刷処理方法。
【請求項１０】  前記第１記憶手段は、ＲＡＭを含み、前記第２記憶手段は、メモリカードを含むことを特徴とする請求項６乃至８のいずれかに記載の印刷処理方法。
【請求項１１】  第１記憶手段にスプール用メモリを確保できるか否かを判別する第１判別ステップと、
第２記憶手段にスプール用メモリを確保できるか否かを判別する第２判別ステップと、
前記第１判別ステップによりスプール用メモリを確保できると判別された場合、または前記第２判別ステップにより前記第２記憶手段にスプール用メモリを確保できると判別された場合、スプール用メモリを確保してスプール印刷処理を行い、前記第１判別ステップによりスプール用メモリを確保できないと判別され前記第２判別ステップにより前記第２記憶手段にスプール用メモリを確保できないと判別された場合、ダイレクト印刷処理を行う処理ステップと
をコンピュータに実行させることを特徴とするプログラム。
【請求項１２】  前記第１判別ステップにより前記第１記憶手段にスプール用メモリを確保できないと判別された場合、前記第２記憶手段の装着を促す画面を表示する表示ステップを有することを特徴とする請求項１１に記載のプログラム。
【請求項１３】  前記第２判別ステップにより前記第２記憶手段にスプール用メモリを確保できないと判別された場合、ダイレクト印刷処理にて印刷するか否かを確認する画面を表示する表示ステップを有することを特徴とする請求項１１又は１２に記載のプログラム。
【請求項１４】  前記処理ステップは、スプール印刷時に、前記第１記憶手段の印刷データの印刷処理が終了した場合、前記第１記憶手段の印刷データを削除し、前記第２記憶手段の印刷データを前記第１記憶手段にコピーすることを特徴とする請求項１１乃至１３のいずれかに記載のプログラム。
【請求項１５】  前記第１記憶手段は、ＲＡＭを含み、前記第２記憶手段は、メモリカードを含むことを特徴とする請求項１１乃至１４のいずれかに記載のプログラム。
【請求項１６】  請求項１１乃至１５のいずれかに記載のプログラムを記憶した記憶媒体。
【手続補正３】
【補正対象書類名】明細書
【補正対象項目名】０００１
【補正方法】変更
【補正の内容】
【０００１】
【発明の属する技術分野】
本発明は、情報処理装置及び印刷処理方法に関する。
【手続補正４】
【補正対象書類名】明細書
【補正対象項目名】００１７
【補正方法】変更
【補正の内容】
【００１７】
そこで、本発明の目的は、上記のような問題点を解決し、アプリケーションソフトウェアから印刷処理をより早く解放できる情報処理装置を提供することにある。
本発明の別の目的は、上記のような問題点を解決し、アプリケーションソフトウェアから印刷処理をより早く解放できる印刷処理方法を提供することにある。
【手続補正５】
【補正対象書類名】明細書
【補正対象項目名】００１８
【補正方法】変更
【補正の内容】
【００１８】
【課題を解決するための手段】
請求項１の発明は、第１記憶手段を用いてスプール印刷処理可能か否かを判別する第１判別手段と、第２記憶手段を用いてスプール印刷処理可能か否かを判別する第２判別手段と、前記第１判別手段により前記第１記憶手段を用いてスプール印刷処理可能であると判別された場合、または前記第２判別手段により前記第２記憶手段を用いてスプール印刷処理可能であると判別された場合、スプール用メモリを確保してスプール印刷処理を行い、前記第１判別手段により前記第１記憶手段を用いてスプール印刷処理可能でないと判別され前記第２判別手段により前記第２記憶手段を用いてスプール印刷処理可能でないと判別された場合、ダイレクト印刷処理を行う処理手段とを有することを特徴とする。
【手続補正６】
【補正対象書類名】明細書
【補正対象項目名】００１９
【補正方法】変更
【補正の内容】
【００１９】
請求項１の発明において、第１判別手段により第１記憶手段を用いてスプール印刷処理可能でないと判別された場合、第２記憶手段の装着を促す画面を表示する表示手段を有することができる。
【手続補正７】
【補正対象書類名】明細書
【補正対象項目名】００２０
【補正方法】変更
【補正の内容】
【００２０】
請求項１又は２の発明において、第２判別手段により第２記憶手段を用いてスプール印刷処理可能でないと判別された場合、ダイレクト印刷処理にて印刷するか否かを確認する画面を表示する表示手段を有することができる。
【手続補正８】
【補正対象書類名】明細書
【補正対象項目名】００２１
【補正方法】変更
【補正の内容】
【００２１】
請求項１乃至３のいずれかの発明において、処理手段は、スプール印刷時に、第１記憶手段の印刷データの印刷処理が終了した場合、前記第１記憶手段の印刷データを削除し、第２記憶手段の印刷データを前記第１記憶手段にコピーすることができる。
【手続補正９】
【補正対象書類名】明細書
【補正対象項目名】００２２
【補正方法】変更
【補正の内容】
【００２２】
請求項１乃至４のいずれかの発明において、第１記憶手段は、ＲＡＭを含むことができ、第２記憶手段は、メモリカードを含むことができる。
【手続補正１０】
【補正対象書類名】明細書
【補正対象項目名】００２３
【補正方法】変更
【補正の内容】
【００２３】
請求項６の発明は、第１記憶手段にスプール用メモリを確保できるか否かを判別する第１判別ステップと、第２記憶手段にスプール用メモリを確保できるか否かを判別する第２判別ステップと、前記第１判別ステップによりスプール用メモリを確保できると判別された場合、または前記第２判別ステップにより前記第２記憶手段にスプール用メモリを確保できると判別された場合、スプール用メモリを確保してスプール印刷処理を行い、前記第１判別ステップによりスプール用メモリを確保できないと判別され前記第２判別ステップにより前記第２記憶手段にスプール用メモリを確保できないと判別された場合、ダイレクト印刷処理を行う処理ステップとを有することを特徴とする。
【手続補正１１】
【補正対象書類名】明細書
【補正対象項目名】００２４
【補正方法】変更
【補正の内容】
【００２４】
請求項６の発明において、第１判別ステップにより第１記憶手段にスプール用メモリを確保できないと判別された場合、第２記憶手段の装着を促す画面を表示する表示ステップを有することができる。
【手続補正１２】
【補正対象書類名】明細書
【補正対象項目名】００２５
【補正方法】変更
【補正の内容】
【００２５】
請求項６又は７の発明において、第２判別ステップにより第２記憶手段にスプール用メモリを確保できないと判別された場合、ダイレクト印刷処理にて印刷するか否かを確認する画面を表示する表示ステップを有することができる。
【手続補正１３】
【補正対象書類名】明細書
【補正対象項目名】００２６
【補正方法】変更
【補正の内容】
【００２６】
請求項６乃至８のいずれかの発明において、処理ステップは、スプール印刷時に、第１記憶手段の印刷データの印刷処理が終了した場合、前記第１記憶手段の印刷データを削除し、第２記憶手段の印刷データを前記第１記憶手段にコピーすることができる。
【手続補正１４】
【補正対象書類名】明細書
【補正対象項目名】００２７
【補正方法】変更
【補正の内容】
【００２７】
請求項６乃至８のいずれかの発明において、第１記憶手段は、ＲＡＭを含むことができ、第２記憶手段は、メモリカードを含むことができる。
【手続補正１５】
【補正対象書類名】明細書
【補正対象項目名】００２８
【補正方法】変更
【補正の内容】
【００２８】
請求項１１の発明は、第１記憶手段にスプール用メモリを確保できるか否かを判別する第１判別ステップと、第２記憶手段にスプール用メモリを確保できるか否かを判別する第２判別ステップと、前記第１判別ステップによりスプール用メモリを確保できると判別された場合、または前記第２判別ステップにより前記第２記憶手段にスプール用メモリを確保できると判別された場合、スプール用メモリを確保してスプール印刷処理を行い、前記第１判別ステップによりスプール用メモリを確保できないと判別され前記第２判別ステップにより前記第２記憶手段にスプール用メモリを確保できないと判別された場合、ダイレクト印刷処理を行う処理ステップとをコンピュータに実行させることを特徴とする。
【手続補正１６】
【補正対象書類名】明細書
【補正対象項目名】００２９
【補正方法】変更
【補正の内容】
【００２９】
請求項１１の発明において、第１判別ステップにより第１記憶手段にスプール用メモリを確保できないと判別された場合、第２記憶手段の装着を促す画面を表示する表示ステップを有することができる。
【手続補正１７】
【補正対象書類名】明細書
【補正対象項目名】００３０
【補正方法】変更
【補正の内容】
【００３０】
請求項１１又は１２の発明において、第２判別ステップにより第２記憶手段にスプール用メモリを確保できないと判別された場合、ダイレクト印刷処理にて印刷するか否かを確認する画面を表示する表示ステップを有することができる。
【手続補正１８】
【補正対象書類名】明細書
【補正対象項目名】００３１
【補正方法】変更
【補正の内容】
【００３１】
請求項１１乃至１３のいずれかの発明において、処理ステップは、スプール印刷時に、第１記憶手段の印刷データの印刷処理が終了した場合、前記第１記憶手段の印刷データを削除し、第２記憶手段の印刷データを前記第１記憶手段にコピーすることができる。
【手続補正１９】
【補正対象書類名】明細書
【補正対象項目名】００３２
【補正方法】変更
【補正の内容】
【００３２】
請求項１１乃至１４のいずれかの発明において、第１記憶手段は、ＲＡＭを含むことができ、第２記憶手段は、メモリカードを含むことができる。
【手続補正２０】
【補正対象書類名】明細書
【補正対象項目名】００３３
【補正方法】変更
【補正の内容】
【００３３】
請求項１６の発明に係る媒体には、請求項１１乃至１５のいずれかに記載のプログラムが記憶されている。
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】０１１７
【補正方法】変更
【補正の内容】
【０１１７】
【発明の効果】
以上説明したように、本発明によれば、上記のように構成したので、アプリケーションソフトウェアから印刷処理をより早く解放できる。
【手続補正２４】
【補正対象書類名】明細書
【補正対象項目名】０１１８
【補正方法】削除
【補正の内容】
【手続補正２５】
【補正対象書類名】明細書
【補正対象項目名】０１１９
【補正方法】削除
【補正の内容】
【手続補正２６】
【補正対象書類名】明細書
【補正対象項目名】０１２０
【補正方法】削除
【補正の内容】
【手続補正２７】
【補正対象書類名】明細書
【補正対象項目名】０１２１
【補正方法】削除
【補正の内容】
【手続補正２８】
【補正対象書類名】明細書
【補正対象項目名】０１２２
【補正方法】削除
【補正の内容】
【手続補正２９】
【補正対象書類名】明細書
【補正対象項目名】０１２３
【補正方法】削除
【補正の内容】
【手続補正３０】
【補正対象書類名】明細書
【補正対象項目名】０１２４
【補正方法】削除
【補正の内容】
【手続補正３１】
【補正対象書類名】明細書
【補正対象項目名】０１２５
【補正方法】削除
【補正の内容】
【手続補正３２】
【補正対象書類名】明細書
【補正対象項目名】０１２６
【補正方法】削除
【補正の内容】
【手続補正３３】
【補正対象書類名】明細書
【補正対象項目名】０１２７
【補正方法】削除
【補正の内容】
【手続補正３４】
【補正対象書類名】明細書
【補正対象項目名】０１２８
【補正方法】削除
【補正の内容】
【手続補正３５】
【補正対象書類名】明細書
【補正対象項目名】０１２９
【補正方法】削除
【補正の内容】
【手続補正３６】
【補正対象書類名】明細書
【補正対象項目名】０１３０
【補正方法】削除
【補正の内容】
【手続補正３７】
【補正対象書類名】明細書
【補正対象項目名】０１３１
【補正方法】削除
【補正の内容】
【手続補正３８】
【補正対象書類名】明細書
【補正対象項目名】０１３２
【補正方法】削除
【補正の内容】
【手続補正３９】
【補正対象書類名】明細書
【補正対象項目名】０１３３
【補正方法】削除
【補正の内容】
【手続補正４０】
【補正対象書類名】明細書
【補正対象項目名】０１３４
【補正方法】削除
【補正の内容】
【手続補正４１】
【補正対象書類名】明細書
【補正対象項目名】０１３５
【補正方法】削除
【補正の内容】